(57)【要約】【目的】変化に富み楽しく遊ぶことができると共に清掃費を節減できるスロットマシンの提供。【構成】遊戯板１の表面に、コイン投入口２と、表示窓部３と、入賞コイン受部４と、スロットボタン部５，５，５を設け、且つ表示窓部３には周面部６に記号又は絵模様等の模様部７を備えた数個並列の回転模様体８，８，８を備えると共に代用コインのコイン投入口２への投入に伴って数個並列の回転模様体８，８，８の全てが回転し、更にスロットボタン部５，５，５の手動操作に基づき回転模様体８，８，８の各々は回転を止め、夫々の回転模様体８，８，８の全ての記号又は絵模様等の模様部７が揃った場合に所定数の代用コインが入賞コイン受部４に排出されるようにすると共に模様部７が立体像で表示されるようにしたことを特徴としている。【選択図】              図１
2004215885.tif 000002
【特許請求の範囲】
【請求項１】
遊戯板１の表面に、コイン投入口２と、表示窓部３と、入賞コイン受部４と、スロットボタン部５，５，５を設け、且つ表示窓部３には周面部６に記号又は絵模様等の模様部７を備えた数個並列の回転模様体８，８，８を備えると共に代用コインのコイン投入口２への投入に伴って数個並列の回転模様体８，８，８の全てが回転し、更にスロットボタン部５，５，５の手動操作に基づき回転模様体８，８，８の各々は回転を止め、夫々の回転模様体８，８，８の全ての記号又は絵模様等の模様部７が揃った場合に所定数の代用コインが入賞コイン受部４に排出されるようにしたものに於いて、立体写真印刷面９を設けた半透明の帯状基板１０上にレンチキュラレンズ等の表面にレンズ状凸部１１，１１・・・を有した透明の合成樹脂製の帯状立体映像用レンズ板１２を貼着し、更に多数のレンズ状凸部１１，１１・・・間に介在させた透明の合成樹脂のり材１３を介して立体映像用レンズ板１２の多数のレンズ状凸部１１，１１・・・に透明の合成樹脂製シート１４を接着して模様部７が立体像で表示されるようにした帯状体１５を形成し、該帯状体１５を回転模様体８の周面部６に設けたことを特徴とするスロットマシン。
【請求項２】
数個並列の回転模様体８，８，８内に同一の色彩を有する着色光源体１６，１６，１６を備え、夫々の回転模様体８，８，８の全ての記号又は絵模様等の模様部７が揃った場合に着色光源体１６，１６，１６の全てが点灯して回転模様体８，８，８の周面部６，６，６に設けた模様部７以外の表面部１７，１７，１７の全てが同一の色彩に発色するように形成したことを特徴とする請求項１記載のスロットマシン。
【発明の詳細な説明】
【０００１】
【産業上の利用分野】
この発明は、変化に富み楽しく遊ぶことができると共に清掃費を節減できるスロットマシンに関するものである。
【０００２】
【従来の技術】
従来、図７に図示したスロットマシンで、遊戯板３１の表面に、コイン投入口３２と、表示窓部３３と、入賞コイン受部３４と、スロットボタン部３５，３５，３５を設け、且つ表示窓部３３には周面部３６に記号又は絵模様等の模様部３７を備えた数個並列の回転模様体３８，３８，３８を備えると共に代用コインのコイン投入口３２への投入に伴って数個並列の回転模様体３８，３８，３８の全てが回転し、更にスロットボタン部３５，３５，３５の手動操作に基づき回転模様体３８，３８，３８の各々は回転を止め、夫々の回転模様体３８，３８，３８の全ての記号又は絵模様等の模様部３７が揃った場合に所定数の代用コインが入賞コイン受部３４に排出されるようにしたものは知られている。
【０００３】
又、多数のスロットマシンが置かれている遊戯場は人の出入りが多く、その為の塵埃又は遊戯者が遊戯中に吸う大量のたばこによる煙の影響で遊戯板３１の表面や記号又は絵模様等の模様部３７の表面が汚損されて清掃を必要とするものである。
【０００４】
【発明が解決しようとする課題】
ところが上記図７に図示した従来のスロットマシンである遊戯板３１の表面に、コイン投入口３２と、表示窓部３３と、入賞コイン受部３４と、スロットボタン部３５，３５，３５を設け、且つ表示窓部３３には周面部３６に記号又は絵模様等の模様部３７を備えた数個並列の回転模様体３８，３８，３８を備えると共に代用コインのコイン投入口３２への投入に伴って数個並列の回転模様体３８，３８，３８の全てが回転し、更にスロットボタン部３５，３５，３５の手動操作に基づき回転模様体３８，３８，３８の各々は回転を止め、夫々の回転模様体３８，３８，３８の全ての記号又は絵模様等の模様部３７が揃った場合に所定数の代用コインが入賞コイン受部３４に排出されるようにしたものは回転模様体３８，３８，３８の周面部３６に備えた記号又は絵模様等の模様部３７が変化に乏しく遊戯者の興味を大きくすることができない等の欠点があった。
【０００５】
又、多数のスロットマシンが置かれている遊戯場は人の出入りが多く、その為の粉塵又は遊戯者が遊戯中に吸う大量のたばこによる煙の影響で遊戯板３１の表面や記号又は絵模様等の模様部３７の表面が汚損されて清掃を必要とするものは清掃をし易くする構成でないと清掃のための費用がかさむ等の欠点を有するものである。
【０００６】
この発明は上記の問題点を解決したもので、極めて簡単な手段で変化に富み、面白く遊ぶことができると共に清掃費を少なくして遊戯店の利益減少を少なくするようにしたスロットマシンを得ることを目的としたものである。
【０００７】
【課題を解決するための手段】
上記の目的を達成するためこの発明は、遊戯板１の表面に、コイン投入口２と、表示窓部３と、入賞コイン受部４と、スロットボタン部５，５，５を設け、且つ表示窓部３には周面部６に記号又は絵模様等の模様部７を備えた数個並列の回転模様体８，８，８を備えると共に代用コインのコイン投入口２への投入に伴って数個並列の回転模様体８，８，８の全てが回転し、更にスロットボタン部５，５，５の手動操作に基づき回転模様体８，８，８の各々は回転を止め、夫々の回転模様体８，８，８の全ての記号又は絵模様等の模様部７が揃った場合に所定数の代用コインが入賞コイン受部４に排出されるようにしたものに於いて、立体写真印刷面９を設けた半透明の帯状基板１０上にレンチキュラレンズ等の表面にレンズ状凸部１１，１１・・・を有した透明の合成樹脂製の帯状立体映像用レンズ板１２を貼着し、更に多数のレンズ状凸部１１，１１・・・間に介在させた透明の合成樹脂のり材１３を介して立体映像用レンズ板１２の多数のレンズ状凸部１１，１１・・・に透明の合成樹脂製シート１４を接着して模様部７が立体像で表示されるようにした帯状体１５を形成し、該帯状体１５を回転模様体８の周面部６に設けたものである。
【０００８】
又、数個並列の回転模様体８，８，８内に同一の色彩を有する着色光源体１６，１６，１６を備え、夫々の回転模様体８，８，８の全ての記号又は絵模様等の模様部７が揃った場合に着色光源体１６，１６，１６の全てが点灯して回転模様体８，８，８の周面部６，６，６に設けた模様部７以外の表面部１７，１７，１７の全てが同一の色彩に発色するように形成したものである。
【０００９】
【実施例】
以下図面についてこの発明の実施例を説明すると、遊戯板１の表面に、コイン投入口２と、表示窓部３と、入賞コイン受部４と、スロットボタン部５，５，５を設け、且つ表示窓部３には周面部６に記号又は絵模様等の模様部７を備えた数個並列の回転模様体８，８，８を備えると共に代用コイン（図示せず）のコイン投入口２への投入に伴って数個並列の回転模様体８，８，８の全てが回転し、更にスロットボタン部５，５，５の手動操作に基づき、夫々のスロットボタン部５，５，５に付したボタン目印２２に対応した回転体目印２３を付した回転模様体８，８，８の各々は回転を止めるもので、例えばボタン目印２２で目印（１）が付けられているスロットボタン部５を操作すれば回転体目印２３で目印（１）が付けられている回転模様体８の回転が止まり、夫々の回転模様体８，８，８の全ての記号又は絵模様等の模様部７が揃った場合に所定数の代用コインが入賞コイン受部４に排出されるようにしたものである。
【００１０】
又、数個並列の回転模様体８，８，８は基台１８より立設した立設杆１９，１９，１９にモーター２０，２０，２０を介して夫々取付けられていて、夫々の回転模様体８，８，８はコイン投入口２へ代用コインが投入されると所望の設定したプログラムに応じて作動する制御装置（図示せず）を介して夫々のモーター２０，２０，２０に通電され一定時間回転すると共にスロットボタン部５，５，５の手動操作に基づき、夫々の回転模様体８，８，８の回転が止まり、全ての記号又は絵模様等の模様部７が揃った場合に所定数の代用コインが入賞コイン受部４に排出されて遊戯を楽しむことができるものである。
【００１１】
又、数個並列の回転模様体８，８，８内には立設杆１９，１９及び補助立設杆２５に夫々取付けられた光源体２１，２１，２１にコイン投入口２へ代用コインが投入されると制御装置により一定時間点灯して周面部６を明るくしてその点灯時間遊戯を楽しむことができるものである。
【００１２】
又、数個並列の回転模様体８，８，８内には立設杆１９，１９及び補助立設杆２５に夫々取付けられた同一の色彩を有する着色光源体１６，１６，１６を備え、夫々の回転模様体８，８，８の全ての記号又は絵模様等の模様部７が揃った場合に着色光源体１６，１６，１６の全てが制御装置により点灯して回転模様体８，８，８の周面部６，６，６に設けた模様部７以外の表面部１７，１７，１７の全てが同一の色彩に発色するように形成したものである。
【００１３】
又、立体写真印刷面９を設けた半透明の帯状基板１０上にレンチキュラレンズ等の表面にレンズ状凸部１１，１１・・・を有した透明の合成樹脂製の帯状立体映像用レンズ板１２を貼着し、更に多数のレンズ状凸部１１，１１・・・間に介在させた透明の合成樹脂のり材１３を介して帯状立体映像用レンズ板１２の多数のレンズ状凸部１１，１１・・・上に透明の合成樹脂製シート１４を接着して模様部７が立体像で表示されるようにした帯状体１５を形成し、該帯状体１５を回転模様体８の周面部６に設けたものであり、模様部７が立体像で表示されて変化に富み、面白く遊ぶことができると共に模様部７が立体像で表示される帯状体１５の表面は透明の合成樹脂製シート１４の存在によって平面状に形成されて多数のレンズ状凸部１１，１１・・・間に塵埃が付着して模様部７の立体像が見えずらくなることがなく時々の合成樹脂製シート１４の表面の拭き掃除を行うことで模様部７の立体像が常に明瞭に見えて遊戯者は楽しみが助長するものであり、且つ清掃費を少なくして遊戯店の利益減少を少なくするものである。
【００１４】
又、遊戯板１には模様部７でどの記号又は絵模様等が揃った場合の代用コインの入賞コイン受部４の排出数を説明した点数表示板２４を設けたものである。
【００１５】
【発明の作用効果】
この発明は以上のような構成であり、遊戯板１の表面に、コイン投入口２と、表示窓部３と、入賞コイン受部４と、スロットボタン部５，５，５を設け、且つ表示窓部３には周面部６に記号又は絵模様等の模様部７を備えた数個並列の回転模様体８，８，８を備えると共に代用コインのコイン投入口２への投入に伴って数個並列の回転模様体８，８，８の全てが回転し、更にスロットボタン部５，５，５の手動操作に基づき回転模様体８，８，８の各々は回転を止め、夫々の回転模様体８，８，８の全ての記号又は絵模様等の模様部７が揃った場合に所定数の代用コインが入賞コイン受部４に排出されるようにしたのでスロットボタン部５，５，５の操作に伴い夫々の回転模様体８，８，８の全ての記号又は絵模様等の模様部７を揃った状態に回転模様体８，８，８の回転を止めることで大当たりによる代用コインが入賞コイン受部４に大量に排出されることを楽しみにスロットマシンによる遊びを行うことができるものである。
【００１６】
又、回転模様体８，８，８の各々に設けた模様部７は立体像で表示されるようにしたのて遊戯者の楽しみを助長すると共に娯楽性を向上させ、更に回転模様体８，８，８の各々に設けた模様部７が揃った状態の場合の喜びを増幅させ、遊戯者に刺激を与えて興奮させるものである。
【００１７】
又、多数のスロットマシンが置かれている遊戯場は人の出入りが多く、その為の塵埃又は遊戯者が遊戯中に吸う大量のたばこによる煙の影響で遊戯板１の表面や記号又は絵模様等の模様部７の表面が汚損されて度々の清掃を必要とするものであるが、立体写真印刷面９を設けた半透明の帯状基板１０上にレンチキュラレンズ等の表面にレンズ状凸部１１，１１・・・を有した透明の合成樹脂製の帯状立体映像用レンズ板１２を貼着し、更に多数のレンズ状凸部１１，１１・・・間に介在させた透明の合成樹脂のり材１３を介して立体映像用レンズ板１２の多数のレンズ状凸部１１，１１・・・に透明の合成樹脂製シート１４を接着して模様部７が立体像で表示されるようにした帯状体１５を形成し、該帯状体１５を回転模様体８の周面部６に設けたことによって回転模様体８の周面部６に表れる模様部７が立体像で表示されると共に模様部７の表面は透明の合成樹脂製シート１４の存在によって凹凸を有せず平面状に形成されて清掃が簡便迅速にできて清掃のための清掃道具や人件費等の費用がかさむことがなく、更に透明の合成樹脂製シート１４で立体映像用レンズ板１２の多数のレンズ状凸部１１，１１・・・が保護されてレンズ状凸部１１，１１・・・の損傷を防止し、模様部７の立体像を長期に亘り的確に表して使用上極めて好都合である。
【００１８】
又、数個並列の回転模様体８，８，８内に同一の色彩を有する着色光源体１６，１６，１６を備え、夫々の回転模様体８，８，８の全ての記号又は絵模様等の模様部７が揃った場合に着色光源体１６，１６，１６の全てが点灯して回転模様体８，８，８の周面部６，６，６に設けた模様部７以外の表面部１７，１７，１７の全てが同一の色彩に発色するように形成したので模様部７が揃ったことを表面部１７，１７，１７の色彩によっても知ることができと共に立体像で表れる模様部７を見て楽しく遊ぶことができるものである。
【００１９】
以上のように、この発明は遊びを楽しみ、興味を助長し、極めて簡単な手段で変化に富み、面白く過ごすことができると共に清掃費を少なくして遊戯店の利益減少を少なくする等の幾多の産業的作用効果を奏するものである。
【図面の簡単な説明】
【図１】この発明の正面図である。
【図２】回転模様体の一部切欠拡大正面図である。
【図３】回転模様体の拡大側面図である。
【図４】帯状体の一部切欠平面図である。
【図５】図４に於ける帯状体の一部切欠拡大Ａ−Ａ断面図である。
【図６】図３に於けるＡ部の一部切欠拡大断面図である。
【図７】従来例の正面図である。
【符号の説明】
１  遊戯板
２  コイン投入口
３  表示窓部
４  入賞コイン受部
５  スロットボタン部
６  周面部
７  模様部
８  回転模様体
９  立体写真印刷面
１０  帯状基板
１１  レンズ状凸部
１２  帯状立体映像用レンズ板
１３  合成樹脂のり材
１４  合成樹脂製シート
１５  帯状体
１６  着色光源体
１７  表面部
１８  基台
１９  立設杆
２０  モーター
２１  光源体
２２  ボタン目印
２３  回転体目印
２４  点数表示板
２５  補助立設杆
【図１】
2004215885.tif 000003
【図２】
2004215885.tif 000004
【図３】
2004215885.tif 000005
【図４】
2004215885.tif 000006
【図５】
2004215885.tif 000007
【図６】
2004215885.tif 000008
【図７】
2004215885.tif 000009